(57)【要約】      （修正有）【課題】不適当な分解を防ぐセキュアな締結機構を備えた腕時計を分解することができる工具のセットを提供する。【解決手段】セキュアな締結機構を備える腕時計１００の第１の部品１と第２の部品２をアンロックして分解するための分解ベンチは、第１の部品１と第２の部品２の間の相対的な分解運動を行わせるように作用するハンドリングデバイスを有し、遠心力利用デバイス及び／又は気圧ないし液圧利用デバイスを有し、これによって、腕時計１００に対する遠心力及び／又は過大圧力又は過小圧力を一又は複数の摺動体５に対して同時に与えて第１の部品１と第２の部品２を動けないロック位置にする。腕時計用の組み合わせは、このような分解ベンチ及びこのようなセキュアな締結機構を備えた腕時計１００を有する。【選択図】図８
2018072334.tif 000002
【特許請求の範囲】
【請求項１】
セキュアな締結機構を備える腕時計（１００）の第１の部品（１）と第２の部品（２）をアンロックして分解するための分解ベンチ（５００）であって、
前記腕時計（１００）は、前記第１の部品（１）と前記第２の部品（２）をロック位置にて動けなくするために少なくとも２つの摺動体（５）を有し、
当該分解ベンチ（５００）は、前記第１の部品（１）と前記第２の部品（２）の間の相対的な分解運動を行わせるように作用するように構成しているハンドリングデバイス（５３０）を有し、遠心力利用デバイス（５１０）及び／又は気圧ないし液圧利用デバイス（５２０）を有し、これによって、前記腕時計（１００）に対する遠心力及び／又は過大圧力又は過小圧力を前記摺動体（５）のすべてに対して同時に与えて前記摺動体（５）のすべてを自由通過位置に動かし、
前記ハンドリングデバイス（５３０）の前記作用は、前記摺動体（５）のすべてが前記自由通過位置にあるときにのみ可能である
ことを特徴とする分解ベンチ（５００）。
【請求項２】
当該分解ベンチ（５００）は、磁気的手段（５４０）を有し、この磁気的手段（５４０）は、一又は複数の前記摺動体（５）に対して、前記腕時計（１００）に属する磁気的に引きつける又は斥ける手段に及ぼされる磁場を与えて、前記摺動体（５）を斥け又は引きつけるように構成している
ことを特徴とする請求項１に記載の分解ベンチ（５００）。
【請求項３】
請求項１に記載の分解ベンチ（５００）と、及び少なくとも１つのセキュアな締結機構を備える腕時計（１００）とを有する腕時計用の組み合わせ（１０００）であって、
前記腕時計（１００）は、第１の表面（１１）と第２の表面（１２）を通して相補的な形態で一緒に嵌まり合うように構成している第１の部品（１）と第２の部品（２）を有し、
前記第１の部品（１）と前記第２の部品（２）は、組み立て位置にて、前記第１の部品（１）の側のレベルにおける第１のインデクシング手段（５１）と前記第２の部品（２）の側のレベルにおける第２のインデクシング手段（５２）からなる対（５０）の少なくとも２つによってインデクシングされており、
前記第１のインデクシング手段（５１）と前記第２のインデクシング手段（５２）は、前記対（５０）のそれぞれの中で、互いに対して又は前記摺動体（５）に対して相補的であり、
前記対（５０）のそれぞれの前記第１のインデクシング手段（５１）と前記第２のインデクシング手段（５２）は、前記組み立て位置において互いに整列しており、これによって、チャンバー（４０）を定めており、
前記摺動体（５）は、前記自由通過位置とロック位置の間で運動可能であり、
前記摺動体（５）は、前記第１の部品（１）と前記第２の部品（２）を組み立てられロックされた位置にロックするように構成しており、
前記第１の部品（１）と前記第２の部品（２）及び少なくとも１つの前記対（５０）の前記組み立てられロックされた位置において、前記第１のインデクシング手段（５１）、前記第２のインデクシング手段（５２）及び前記摺動体（５）には、いずれの工具によってもアクセスできず、
前記遠心力利用デバイス（５１０）及び／又は気圧ないし液圧利用デバイス（５２０）は、前記チャンバー（４０）のそれぞれに対して、遠心力及び／又は過大圧力又は過小圧力を同時に与えるように構成しており、
前記腕時計（１００）に属する前記対（５０）のそれぞれに対して、前記遠心力利用デバイス（５１０）によって遠心力及び／又は前記気圧ないし液圧利用デバイス（５２０）によって圧力変化を同時に与えることによってのみ、前記腕時計（１００）に属する前記対（５０）のそれぞれにおいて前記摺動体（５）のそれぞれの解放運動をアクチュエートして、前記第１の部品（１）と前記第２の部品（２）のアンロックを可能にし、前記ハンドリングデバイス（５３０）の作用の下での前記第１の部品（１）と前記第２の部品（２）の間の相対的運動を可能にする
ことを特徴とする腕時計用の組み合わせ（１０００）。
【請求項４】
前記腕時計（１００）には、前記チャンバー（４０）が複数あり、前記チャンバー（４０）のそれぞれの中を、前記チャンバー（４０）が延在している曲がった方向又は直線状の方向（Ｌ）に前記摺動体（５）が運動可能である
ことを特徴とする請求項３に記載の腕時計用の組み合わせ（１０００）。
【請求項５】
前記チャンバー（４０）の少なくとも２つの方向（Ｌ）は、平行ではない
ことを特徴とする請求項４に記載の腕時計用の組み合わせ（１０００）。
【請求項６】
少なくとも１つの前記摺動体（５）は、弾性戻し手段（３０）によって前記第１の部品（１）と前記第２の部品（２）をロックするロック位置に保持され、
前記分解ベンチ（５００）は、前記摺動体（５）に対して遠心力及び／又は圧力変化を与え、前記摺動体（５）に対して前記弾性戻し手段（３０）の戻し力を克服するために十分な力を与え、対応するチャンバー（４０）内において前記摺動体（５）が変位することを確実にするように構成している
ことを特徴とする請求項３に記載の腕時計用の組み合わせ（１０００）。
【請求項７】
少なくとも１つの前記摺動体（５）は、磁気的に引きつける又は斥ける手段（６０）によって前記第１の部品（１）と前記第２の部品（２）をロックするロック位置に保持され、
前記分解ベンチ（５００）は、磁気的手段（５４０）を有し、アンロックするのために前記分解ベンチ（５００）によって遠心力又は圧力変化を与えているときに、前記摺動体（５）に対して、前記磁気的に引きつける又は斥ける手段（６０）に及ぼされる磁場を前記磁気的手段（５４０）によって与えるように構成している
ことを特徴とする請求項３に記載の腕時計用の組み合わせ（１０００）。
【請求項８】
前記第１のインデクシング手段（５１）及び／又は前記第２のインデクシング手段（５２）は、非磁性である
ことを特徴とする請求項３に記載の腕時計用の組み合わせ（１０００）。
【請求項９】
前記第１のインデクシング手段（５１）及び／又は前記第２のインデクシング手段（５２）は、静電気の導体である
ことを特徴とする請求項３に記載の腕時計用の組み合わせ（１０００）。
【請求項１０】
前記第１の表面（１１）と前記第２の表面（１２）は、バヨネットタイプのアセンブリーを形成するように互いと連係するように構成している接触面である
ことを特徴とする請求項３に記載の腕時計用の組み合わせ（１０００）。
【請求項１１】
前記腕時計（１００）は、少なくとも１つの開口（１０１）を有する第１の部品（１）と前記第２の部品（２）の組み立てられロックされた位置の摺動体（５）の位置を表示するように構成している
ことを特徴とする請求項３に記載の腕時計用の組み合わせ（１０００）。
【請求項１２】
前記腕時計（１００）には、前記第１の部品（１）と前記第２の部品（２）の前記組み立てられロックされた位置にある前記摺動体（５）のそれぞれの位置を表示するように構成している少なくとも１つの開口（１０１）がある
ことを特徴とする請求項１１に記載の腕時計用の組み合わせ（１０００）。
【請求項１３】
前記第１の部品（１）と前記第２の部品（２）は、これらを組み立てるときに互いにねじ留めされるように構成しており、
少なくとも１つの前記摺動体（５）は、対応する前記チャンバーにおける並進運動にてのみ自由に運動可能であり、前記摺動体（５）が前記第１のインデクシング手段（５１）と前記第２のインデクシング手段（５２）と同時に連係する場合に、第１の側に、ねじ留めのときに前記摺動体（５）が摺動することができるように傾斜した又は曲がった傾斜があり、第２の側に、ねじ緩めのときに前記摺動体（５）の通過を防ぐように構成している急傾斜のエッジがある
ことを特徴とする請求項３に記載の腕時計用の組み合わせ（１０００）。
【請求項１４】
前記腕時計（１００）は、前記腕時計（１００）に属する前記チャンバー（４０）それぞれの内側又は外側のチャネル（４１０）を介して流体を入れ込む又は取り出すためのインレット（１０２）を有する
ことを特徴とする請求項３に記載の腕時計用の組み合わせ（１０００）。
【請求項１５】
前記腕時計（１００）は、安全値を超えた過大圧力となった場合に前記流体を排出する少なくとも１つのヘリウム解放弁を有する
ことを特徴とする請求項１４に記載の腕時計用の組み合わせ（１０００）。
【発明の詳細な説明】
【技術分野】
【０００１】
本発明は、セキュアな締結機構を備えた腕時計の第１の部品及び第２の部品をアンロックし分解する分解ベンチに関する。この腕時計は、前記第１の部品と前記第２の部品をロック位置にして動けなくする少なくとも２つの摺動体を有する。
【０００２】
本発明は、さらに、前記のような分解ベンチと、及び前記のようなセキュアな締結機構を備える腕時計とを有する腕時計用の組み合わせに関する。
【０００３】
本発明は、いずれの汚染、密封性の破壊、劣化又は調整のずれをも回避するように熟練者ではない者によって開けることができてはならない、潜水用腕時計や複雑機構を備える腕時計のような高品質な腕時計の分野に関する。本発明は、特に、前記のような腕時計の外装部品、ケースとベース部の間のリンクなどに関する。
【背景技術】
【０００４】
潜水用腕時計又は複雑機構を備えた腕時計を誰でも開けることができるようになってはならない。なぜなら、締め付け度合い、クリーン度合い、潤滑、また、調整において、特定の制約があるからである。腕時計の機能の特徴がすべて維持されており美的外観が完全であることをユーザーに保証するために、工場に腕時計を戻して内部を修理する必要があることもある。したがって、工場において又は認証されたアフターサービスにおいて、適切な工具のセットを持っていない腕時計製造業者が開くことができないように設計されているセキュアな締結機構を備えた腕時計を開くことができるデバイスがあると有用である。
【０００５】
特定の工具がないときに開けられない腕時計の設計は、この腕時計の製造を過度に複雑にしてはならない。その組み立て作業は、可能な限り伝統的な手法のままであるべきである。
【発明の概要】
【発明が解決しようとする課題】
【０００６】
本発明は、いずれの不適当な分解も防ぐように特別に設計されたセキュアな締結機構を備えた腕時計を分解することができる工具のセットを腕時計製造業者が利用可能にすることを提案するものである。また、本発明は、この目的のために設計された腕時計構成を提案する。
【課題を解決するための手段】
【０００７】
このために、本発明は、請求項１に記載のセキュアな締結機構を備えた腕時計の第１の部品と第２の部品をアンロックし分解するための分解ベンチに関する。
【０００８】
本発明は、さらに、このような分解ベンチ及びこのようなセキュアな締結機構を備えた腕時計を有する腕時計用の組み合わせに関する。
【０００９】
添付図面を参照しながら下記の詳細な説明を読むことで、本発明の他の特徴及び利点が明確になるであろう。
【図面の簡単な説明】
【００１０】
【図１】互いに嵌まり合う腕時計の外側の第１の部品と内側の第２の部品の概略平面図である。これらの部品のそれぞれには溝があり、この溝は、インデクシングされた組み立て位置において、摺動体が中を動くことができるチャンバの境界を定めるように整列する。この図では、摺動体はそれぞれ、そのチャンバー内において完全に自由であり、重力のみが与えられる。図における最も下側の摺動体が外側の部品に接するように位置しており、他の２つの摺動体が内側の部品に接するように位置しているような垂直位置にある腕時計を示している。この内側の部品の側のチャンバーの端は、流体を入れ込む又は取り出すための中央インレットにチャネルを介して接続している。
【図２】チャンバーがそれぞれ摺動体を包囲しており、摺動体がボールによって形成されており、ボールがばねによって外側の部品から押されるような別の腕時計を、図１と同様な形態で示している。この変形態様において、チャンバーは外側には通じておらず、遠心力のみがすべてのボールの位置を変えることができる。これとは対照的に、衝撃を受けたときには、一部のボールのみの位置が変わる。図２は、ボールがそれぞれ内側の部品と外側の部品の間のいずれの相対的な回転をも防ぐようなロック位置を示している。
【図３】内側の部品と外側の部品が同期回転をしているときの図２の機構を示しており、このときには、ボールが遠心力の影響の下で中心から離れ、２つの部品の間の相対的な回転が可能になる。
【図４】図３の同期回転のステップの後の前記２つの部品の間の相対的回転とそれらの分解を可能にする差動回転のときの図２の機構を示している。
【図５】ばねによって外側の部品から押される摺動体を各チャンバーが包囲する別の腕時計を図１と同様な形態で示している。内側の部品の側のチャンバーの端は、チャネルによって流体を入れ込む又は取り出すための中央インレットに接続している。
【図６】摺動体には回転自由度がなく、通常のドアロックの摺動体と同様な形態であり、一方向では２つの部品の間の相対的回転が可能であるが、反対方向では２つの部品の間の相対的回転を阻止するような、別の腕時計の詳細を図１と同様な形態で示している。
【図７】互いに１２０°離れている３つの弾性摺動体を有する別の腕時計を図１と同様な形態で示している。各摺動体は、歯を支持している慣性ブロックを有し、弾性アームによって外側の第１の部品に接続しており、この第１の部品の内面は、遠心力で動く止め面を形成しており、内側の第２の部品は、摺動体の歯列を受けるように構成している一連のノッチを有する。
【図８】前記の変形態様の１つに係る開口がある腕時計の概略平面図であり、ロック位置にあるときに、この開口を通してユーザーが摺動体を見ることができる。
【図９】ハンドリングデバイス、遠心力利用デバイス及び気圧ないし液圧デバイスを有する分解ベンチと、前記の異なるデバイスのすべて又はいくつかの作用の影響を受けるセキュアな締結機構を備える腕時計とを有するアセンブリーの概略図である。
【発明を実施するための形態】
【００１１】
腕時計のケース中間部とベース部の間の接続をセキュアにすることについて、何ら制約されない形態で、本発明を説明する。当然、腕時計の他の部品にも本発明を適用可能である。なお、「摺動体」と呼ぶ要素を固定するために必要な空間があることが前提となる。
【００１２】
本発明は、セキュアな締結機構を備える腕時計１００の第１の部品１と第２の部品２をアンロックし分解するための分解ベンチ５００に関する。
【００１３】
本発明によると、この分解ベンチ５００は、第１の部品１と第２の部品２の間の相対的な分解運動を伝達するように構成しているハンドリングデバイス５３０を有する。
【００１４】
この分解ベンチ５００は、さらに、前記のような腕時計１００に遠心力及び／又は過大圧力（overpressure）又は過小圧力（underpressure）を同時に与えて一又は複数の摺動体５を押して自由通過位置にする遠心力利用デバイス５１０及び／又は気圧ないし液圧利用デバイス５２０を有する。これらの摺動体のそれぞれは、まず、この腕時計１００において、第１の部品１と第２の部品２をロック位置にて動けなくするように構成している。すなわち、摺動体５は、ロック位置と自由通過位置の間で動くことができ、摺動体５をロック位置から離脱させて自由通過位置に戻すことができるのは、本発明に係るベンチ５００のみである。なお、ハンドリングデバイス５３０の作用は、すべての摺動体５が自由通過位置にある場合にのみ可能である。特定の変形態様では、この自由通過位置は、不安定な位置である。ここで、弾性戻し手段３０、特に、ばね、の作用が摺動体５に与えられる場合には、特に、不安定な位置になる。
【００１５】
なお、ハンドリングデバイス５３０の作用が、ベンチ５００の特定のデバイス、具体的には、遠心力を利用するデバイス、を用いているときに及ぼされ、摺動体５のすべてが自由でなければこのハンドリングデバイス５３０は有効とはならないことがわかるであろう。
【００１６】
もちろん、このベンチ５００が分解ベンチとされるのは、セキュアなロックを解除できる能力のためである。しかし、所望であれば、このベンチ５００の機能のいくつかによって、特定の組み立て機能を行うことができる。例えば、初期の組み立てステージにおいて、他のデバイスからアクセス不能な空洞内に摺動体のような部品をいくつか収容するという組み立て機能を行うことができる。
【００１７】
ベンチ５００は、分解される腕時計のタイプに応じて単純化することができ、言及したすべてのデバイス、すなわち、ハンドリングデバイス、遠心力利用デバイス、及び気圧ないし液圧利用デバイス、を必ずしも有していなくてもよい。
【００１８】
本発明は、さらに、このような分解ベンチ５００と、及びセキュアな締結機構を備える少なくとも１つの腕時計１００を有する腕時計用の組み合わせ１０００に関する。
【００１９】
このセキュアな締結機構を備える腕時計１００には、第１の部品１と第２の部品２があり、これらの第１の部品１と第２の部品２はそれぞれ、第１の表面１１と第２の表面１２を通して相補的な形態で一緒に嵌められ、第１の部品１の側のレベルにある第１のインデクシング手段５１と第２の部品２の側のレベルにある第２のインデクシング手段５２によって構成する少なくとも１つの対５０によって組み立て位置においてインデクシングされるように構成している。これらの第１のインデクシングデバイス５１と第２のインデクシングデバイス５２は、互いに対して相補的であり、又は図示した実施形態（これに限定されない）におけるように、前記対５０のそれぞれの中にある摺動体に対して相補的である。
【００２０】
図面には、図示した腕時計のそれぞれに対して、３つの対５０Ａ、５０Ｂ、５０Ｃを示している。
【００２１】
各対５０の第１のインデクシングデバイス５１と第２のインデクシングデバイス５２は、組み立て位置において２つずつ整列して（アライメント状態となって）おり、自由通過位置とロック位置の間で摺動体５が中を運動可能であるようなチャンバー４０を定める。ロック位置においては、この摺動体５は、第１の部品１と第２の部品２を、組み立てられロックされた位置にロックするように構成している。
【００２２】
本発明によると、第１の部品１と第２の部品２が前記組み立てられロックされた位置にあるときに、少なくとも１つの前記対５０において、第１のインデクシングデバイス５１と第２のインデクシングデバイス５２及び前記摺動体５には、いずれの工具からもアクセスすることができない。
【００２３】
また、ベンチ５００の遠心力利用デバイス５１０及び／又は気圧ないし液圧利用デバイス５２０は、各チャンバー４０に対して遠心力及び／又は過大圧力又は過小圧力を同時に与えるように構成している。このように同時に与えることによってのみ、摺動体５が同時に運動することが可能になり、このことだけで、第１の部品１と第２の部品２の相対的な変位が可能になる。
【００２４】
また、腕時計１００に属する各対５０に対して、前記遠心力利用デバイス５１０によって遠心力を、及び／又は前記気圧ないし液圧利用デバイス５２０によって圧力変化を、同時に与えることによってのみ、腕時計１００に属する各対５０の中の各摺動体５の解放運動がアクチュエートされ、第１の部品１と第２の部品２のアンロックが可能になり、ハンドリングデバイス５３０の作用の下で第１の部品１と第２の部品２の間の相対的運動が可能になる。ハンドリングデバイス５３０は、例えば、一方の部品を保持する手段と、及び他方の部品のねじ込み又はねじ緩めをする手段を有する。
【００２５】
具体的には、腕時計１００は、前記チャンバー４０を複数有し、このチャンバー４０のそれぞれの中で、このチャンバー４０が延在している曲がった方向又は直線的な方向Ｌに摺動体５が運動可能である。
【００２６】
少なくとも２つの前記チャンバー４０の方向（Ｌ）は、好ましくは、平行ではない。
【００２７】
具体的には、図示した変形態様におけるように、これらの方向（Ｌ）は、直線状である。しかし、曲がった方向であっても何ら問題ない。特に、ヘアピン状のチャンバーの場合において、ボールのような摺動体５が、ベンチ５００に属する異なるデバイスをナビゲートするコンピューター化された手段を必要とする複雑なマヌーバー運動で、あるブランチから別のブランチへと通ることができるようにすることができる。
【００２８】
具体的には、図２〜７において明らかなように、少なくとも１つの摺動体５は、弾性戻し手段３０によって、第１の部品１と第２の部品２をロックするロック位置に保持され、分解ベンチ５００は、この摺動体５に対して、遠心力及び／又は圧力変化を与え、この弾性戻し手段３０の戻し力を克服するために十分な力を与え、そして、チャンバー４０内の摺動体５の自由通過位置の方への変位を確実にして、アンロックを確実にするように構成している。
【００２９】
具体的には、図示していない変形態様において、少なくとも１つの前記摺動体５は、磁気的に引きつける又は斥ける手段６０によって第１の部品１と第２の部品２をロックする位置に保持される。
【００３０】
また、この場合に、分解ベンチ５００は、磁気的手段５４０を有する。この磁気的手段５４０は、アンロックのために遠心力又は圧力変化を与えているときに、一又は複数の摺動体５に対して、腕時計１００に属する前記磁気的に引きつける又は斥ける手段６０に及ぼされる磁場を与えて、摺動体５を斥ける又は引きつけるように構成している。
【００３１】
具体的には、第１のインデクシング手段５１及び／又は第２のインデクシング手段５２は、非磁性である。
【００３２】
具体的には、第１のインデクシング手段５１及び／又は第２のインデクシング手段５２は、静電気の導体である。
【００３３】
具体的には、前記第１の表面１１と前記第２の表面１２は、バヨネットタイプのアセンブリーを形成するように互いに連係するように構成している接触面である。
【００３４】
具体的には、図８に示すように、腕時計１００には、第１の部品１と第２の部品２が組み立てられロックされた位置にあるときに摺動体５の位置を表示するように構成している少なくとも１つの開口１０１がある。具体的には、腕時計１００には、この組み立てられロックされた位置にある各摺動体５の位置を表示するように構成している少なくとも１つの開口１０１がある。
【００３５】
図６に示す変形態様では、第１の部品１と第２の部品２は、それらの組み立て時に互いに対してねじ留めされるように構成しており、少なくとも１つの摺動体は、そのチャンバー４０内における並進運動のみ自由に運動可能であり、第１の側には、傾いた又は曲がった傾斜５８があり、この傾斜５８は、ねじ留め時にこの傾斜５８を摺動体５が滑ることができるように構成しており、第２の側には、尖ったエッジ５９があり、この尖ったエッジ５９は、摺動体５が第１のインデクシング手段５１と第２のインデクシング手段５２と同時に連係しているときにねじ緩め時に摺動体５の通過を防ぐように構成している。
【００３６】
特定の変形態様において、腕時計１００には、腕時計１００に属する各チャンバー４０の内側又は外側にてチャネル４１０を通して流体を入れ込む又は取り出すためのインレット１０２がある。
【００３７】
特定の変形態様（図示せず）において、腕時計１００は、安全値を超える過大圧力の場合に流体を排出するための少なくとも１つのヘリウム解放弁を有する。
【００３８】
構造的な変形態様の１つにおいて、チャンバー４０の一部を形成している第１のインデクシング手段５１又は第２のインデクシング手段５２は、腕時計１００の製造時に、特に、分解ベンチ５００を介して遠心力又は圧力変化を与える作用の下で、摺動体５が初期に挿入されるように構成しているチャネルによって延長されており、このとき、高圧の航空機のハイドロリクスにおいて用いられるように、このチャネルは、リープラグ（Lee Plug）などによって密封され、摺動体５にてロックされ、大きな度合いの締め付け度合いがあることが確実になる。
【００３９】
当然、これらの異なる構造的な変形態様は、通常のガスケットの構成、特に、潜水用腕時計のためのガスケットの構成、と互換性がある。また、これらは、弾性要素、特に、形状記憶素子、の使用とも互換性があり、これによって、第１の要素と第２の要素の組み立て時のクランプを増強できることが確実になる。
【符号の説明】
【００４０】
１  第１の部品
２  第２の部品
５  摺動体
１１  第１の表面
１２  第２の表面
３０  弾性戻し手段
４０  チャンバー
５０  インデクシング手段の対
５１  第１のインデクシング手段
５２  第２のインデクシング手段
６０  磁気的に引きつける又は斥ける手段
１００  腕時計
１０１  開口
１０２  インレット
４１０  チャネル
５００  分解ベンチ
５１０  遠心力利用デバイス
５２０  気圧ないし液圧利用デバイス
５３０  ハンドリングデバイス
５４０  磁気的手段
１０００  腕時計用の組み合わせ
【図１】
2018072334.tif 000003
【図２】
2018072334.tif 000004
【図３】
2018072334.tif 000005
【図４】
2018072334.tif 000006
【図５】
2018072334.tif 000007
【図６】
2018072334.tif 000008
【図７】
2018072334.tif 000009
【図８】
2018072334.tif 000010
【図９】
2018072334.tif 000011